(57)【特許請求の範囲】
【請求項１】
画像データに基づく画像をプリント出力するプリント部と、
プリント出力用の画像データを受信する受信部と、
操作者に向けられたカメラを有し、該カメラの撮影画角内の画像を撮影する撮影部と、
前記撮影部により得られた撮影画像に基づいて、前記カメラの撮影画角内に顔が存在するか否かを判定する顔存在判定部と、
前記受信部で受信した受信画像データに前記撮影部により得られた撮影画像データを合成することにより、該受信画像データに基づく画像であって該撮影画像データに基づく撮影画像を含む合成画像を表わす合成画像データを生成する画像合成部と、
前記受信部で受信した受信画像データが、前記カメラの撮影画角内に顔が存在することがプリント出力の条件とされている出力条件付データであるか否かを、前記画像データの送信元とファイル種類の少なくとも一方を判定材料の１つとして判定する条件有無判定部と、
前記受信部で受信した受信画像データが前記条件有無判定部により出力条件付データであると判定された場合に、前記顔存在判定部により前記カメラの撮影画角内に顔が存在すると判定されるまでプリント出力を不許可とし、顔が存在すると判定されたことを受けてプリント出力を許可するプリント許否決定部とを備え、
前記条件有無判定部は、前記受信画像データを出力条件付データと判定した場合、前記画像データの送信元とファイル種類の少なくとも一方を判定材料の１つとして、前記合成画像データに基づく合成画像をプリント出力することを条件とする合成条件付データであるか否かを判定し、
前記プリント部は、前記受信部で受信した受信画像データが前記条件有無判定部により合成条件付データであると判定された場合、前記プリント許否決定部によるプリント出力の許可を待って、前記合成画像データに基づく合成画像をプリント出力し、合成条件付データではないと判定された場合、前記プリント許否決定部によるプリント出力の許可を待って、前記受信画像データに基づく画像であって前記撮影画像データに基づく撮影画像を含まない画像をプリント出力する
ことを特徴とするプリンタ。
【請求項２】
前記プリント許否決定部によりプリント出力が許可された出力条件付データについて、該出力条件付データを特定するデータと、該出力条件付データのプリント出力を許可する契機となった、顔を含む撮影画像を表わす撮影画像データとを対応づけて記憶する記憶部をさらに備えたことを特徴とする請求項１記載のプリンタ。
【発明の詳細な説明】
【技術分野】
【０００１】
本発明は、プリンタに関する。
【背景技術】
【０００２】
特許文献１には操作者の顔を撮影し、その操作者の顔があらかじめ登録されている登録者の顔であるか否かに応じて使用権限の範囲を異ならせた画像形成装置が開示されている。
【０００３】
また、特許文献２には、被写体の顔を検出して被写体の顔が正面を向いたタイミングで撮像する撮像装置が開示されている。
【先行技術文献】
【特許文献】
【０００４】
【特許文献１】特開２００６−８１１４７号公報
【非特許文献】
【０００５】
【非特許文献１】特開２０１２−２４９０９４号公報
【発明の概要】
【発明が解決しようとする課題】
【０００６】
本発明は、不特定多数の人が画像データを取り寄せてプリント出力する環境に置かれているプリンタの不正利用を抑止することを目的とする。
【課題を解決するための手段】
【０００７】
請求項１は、
画像データに基づく画像をプリント出力するプリント部と、
プリント出力用の画像データを受信する受信部と、
操作者に向けられたカメラを有し、該カメラの撮影画角内の画像を撮影する撮影部と、
前記撮影部により得られた撮影画像に基づいて、前記カメラの撮影画角内に顔が存在するか否かを判定する顔存在判定部と、
前記受信部で受信した受信画像データに前記撮影部により得られた撮影画像データを合成することにより、該受信画像データに基づく画像であって該撮影画像データに基づく撮影画像を含む合成画像を表わす合成画像データを生成する画像合成部と、
前記受信部で受信した受信画像データが、前記カメラの撮影画角内に顔が存在することがプリント出力の条件とされている出力条件付データであるか否かを、前記画像データの送信元とファイル種類の少なくとも一方を判定材料の１つとして判定する条件有無判定部と、
前記受信部で受信した受信画像データが前記条件有無判定部により出力条件付データであると判定された場合に、前記顔存在判定部により前記カメラの撮影画角内に顔が存在すると判定されるまでプリント出力を不許可とし、顔が存在すると判定されたことを受けてプリント出力を許可するプリント許否決定部とを備え、
前記条件有無判定部は、前記受信画像データを出力条件付データと判定した場合、前記画像データの送信元とファイル種類の少なくとも一方を判定材料の１つとして、前記合成画像データに基づく合成画像をプリント出力することを条件とする合成条件付データであるか否かを判定し、
前記プリント部は、前記受信部で受信した受信画像データが前記条件有無判定部により合成条件付データであると判定された場合、前記プリント許否決定部によるプリント出力の許可を待って、前記合成画像データに基づく合成画像をプリント出力し、合成条件付データではないと判定された場合、前記プリント許否決定部によるプリント出力の許可を待って、前記受信画像データに基づく画像であって前記撮影画像データに基づく撮影画像を含まない画像をプリント出力する
ことを特徴とするプリンタである。
【０００８】
請求項２は、
前記プリント許否決定部によりプリント出力が許可された出力条件付データについて、該出力条件付データを特定するデータと、該出力条件付データのプリント出力を許可する契機となった、顔を含む撮影画像を表わす撮影画像データとを対応づけて記憶する記憶部をさらに備えたことを特徴とする請求項１記載のプリンタである。
【発明の効果】
【００１２】
請求項１のプリンタによれば、顔の撮影を条件としないシステムと比べ、不正利用が心理的に抑止される。
また、請求項１のプリンタによれば、合成画像をプリント出力しないシステムと比べ、出力されたプリントを利用する場面においても不正利用が抑止される。
【００１３】
請求項２のプリンタによれば、顔の撮影を条件としないシステムと比べ、不正利用があったときに、その行為者の探査が可能となる。
【図面の簡単な説明】
【００１７】
【図１】本発明のプリンタの一実施形態である複合機を含むプリントシステムの全体構成図である。
【図２】図１に示す操作端末付複合機の、プリンタとしての機能に着目したときの機能構成図である。
【図３】表示画面上に表示される初期画面を示した図である。
【図４】コンテンツプリントが選択されたときに表示画面上に表示される注意喚起画面を示した図である。
【図５】接続先一覧画面に示した図である。
【図６】市役所からの取寄せ内容一覧画面を示した図である。
【図７】住民票に関する認証画面を示した図である。
【図８】取寄せ内容問合せ画面を示した図である。
【図９】送信されてきた住民票抄本データファイルの概念図である。
【図１０】図９に概念図を示す住民票抄本データファイルにおける付属データの内容を示した図である。
【図１１】撮影画像表示モードにおける表示画面を示した図である。
【図１２】記録内容の概念図である。
【図１３】チケットデータファイルの概念図である。
【図１４】図１３に概念図を示すチケットデータファイル中の付属データの内容を示した図である。
【図１５】合成画像の一例を示した図である。
【図１６】プリント対象の、あるデータファイルの付属データを示した図である。
【図１７】操作端末内にあらかじめ記憶された、「出力条件付データ」および「合成条件付データ」のファイル種類一覧を示した図である。
【図１８】操作端末内にあらかじめ記憶された別例のデータファイルを示した図である。
【図１９】操作端末内にあらかじめ記憶された、さらに異なる例のデータファイルを示した図である。
【発明を実施するための形態】
【００１８】
以下、本発明の実施の形態を説明する。
【００１９】
図１は、本発明のプリンタの一実施形態である複合機を含むプリントシステムの全体構成図である。
【００２０】
ここには、複合機１Ａと、外部との通信を担うとともに複合機１ＡのＵＩ（Ｕｓｅｒ  Ｉｎｔｅｒｆａｃｅ）として使用される操作端末１Ｂとからなる操作端末付複合機１（ここでは、「操作端末付複合機」を単に「複合機」と称することがある）が備えられている。
【００２１】
操作端末１Ｂは、インタネット２を介して様々なサーバ３Ａ、・・・、３Ｂに接続されている。この操作端末１Ｂを操作すると、様々なサーバ３Ａ、・・・、３Ｂから後述するような様々な画像データをインタネット２経由で取り寄せて、複合機１Ａでプリント出力することができる。
【００２２】
この操作端末１Ｂには、タッチパネル式の表示画面１１と、様々なボタンが並んだ操作パネル１２が備えられており、さらに、この操作端末１Ｂの操作者に向けられたカメラ１３が備えられている。このカメラ１３は、操作端末１Ｂの操作者の顔を撮影して表示画面１１上に写し出すためのものである。
【００２３】
また、この操作端末１Ｂには、いくつかの種類のメモリカードを装填するためのメモリカードスロット１４が備えられている。
【００２４】
この操作端末１Ｂは、コンピュータとしての機能を備えており、この操作端末１Ｂでは、プログラムの実行により後述する様々な処理が行われる。
【００２５】
一方、複合機１Ａは、操作端末１Ｂから受け取った画像データに基づく画像を用紙上にプリント出力するプリンタとしての機能を備えており、さらに、用紙上の画像を読み取って画像データを生成するスキャナとしての機能も備えている。スキャナで読み取って得た画像データは、操作端末１Ｂのメモリカードスロット１４に装填されたメモリカードに書き込まれる。また、この複合機１Ａは、スキャナとプリンタを使って、スキャナで読み取って得た画像データに基づく画像をプリント出力するという、複写機としての機能も合わせ持っている。その他、この複合機１Ａには、例えばファクシミリ送受信を行なうファックス機としての機能を備えてもよく、さらにその他の機能も備えてもいてもよい。ただし、本実施形態では、複合機１Ａのプリンタとしての機能にのみ着目しており、ここでは、これ以上の複合機１Ａの様々な機能についての説明は割愛する。
【００２６】
この複合機１Ａのプリンタとしての機能は、いわゆる電子写真方式により用紙上に画像を形成するタイプのものが好適に使用されるが、電子写真方式に限られるものではなく、例えばインクジェット方式等、他の方式でプリント出力するものであってもよい。
【００２７】
図２は、図１に示す操作端末付複合機の、プリンタとしての機能に着目したときの機能構成図である。
【００２８】
この図２において、プリント部３１を除く他の構成要素は操作端末１Ｂ側の要素であり、プリント部３１は、複合機１Ａのプリンタとしての機能を表している。ここでは、この図２に示す機能全体を、プリンタ２０と称する。
【００２９】
この図２に示すプリンタ２０には、操作部２１と表示部２２が備えられている。操作部２１は、図１に示す操作端末１Ｂのタッチパネル式の表示画面１１へのタッチ操作機能および操作パネル１２への操作機能の双方の操作機能を合わせた要素である。また、表示部２２は、表示画面１１への表示機能を指す要素である。操作部２１での操作は、表示部２２への表示内容に反映される。また、操作部２１での操作に応じて、送信部２３からインタネット２（図１参照）上に、プリント出力用の画像データ取寄せのための問合せ等が送信される。
【００３０】
また、この図２に示すプリンタ２０には、撮影部２４が備えられている。この撮影部２４は、図１に示すカメラ１３を使って、そのカメラ１３の撮影画角内の画像を撮影して撮影画像データを生成する要素である。この撮影部２４は、カメラ１３により、操作者の顔を撮影することを目的としている。この撮影部２４で撮影された操作者の顔は、表示部２２に写し出される。
【００３１】
また、この撮影部２４で得られた撮影画像データは、後述する画像合成部２５、顔存在判定部２６、および記憶部２７に送られる。
【００３２】
また、このプリンタ２０は、インタネット２経由で送信されてきた画像データを受信する受信部２８を備えている。この送信されてくる画像データには、後述するような付属データが付随している。受信部２８で受信した画像データは、後述するプリント許否決定部３０の決定に従ってプリント部３１に送られるほか、画像合成部２５、条件有無判定部２９、および記憶部２７に送られる。
【００３３】
画像合成部２５は、受信部２８で受信した画像データに撮影部２４により得られた撮影画像データを合成することにより、受信部２８で受信した画像データに基づく画像であって、かつ、撮像画像データに基づく撮影画像を含む合成画像データを生成する要素である。
【００３４】
条件有無判定部２９は、受信部２８で受信した画像データが、カメラ１３の撮影画像内に顔が存在することがプリント出力の条件とされている出力条件付データであるか否かを判定する要素である。また、この条件有無判定部２９では、受信部２８で受信した画像データが、その画像データに撮影部２４での撮影により得られた撮影画像データを合成した合成画像データに基づく合成画像をプリント出力することを条件とする、合成条件データであるか否かについても判定が行なわれる。具体的には後述する。
【００３５】
顔存在判定部２６は、撮影部２４により得られた撮影画像に基づいて、カメラ１３の撮影画像内に顔が存在するか否かを判定する要素である。ここでは、顔が存在するか否かを判定すれば足り、特定の人物の顔であることを認識する必要はない。顔の存在を認識する手法は広く知られており、ここでは顔認識の手法についての言及は割愛する。
【００３６】
プリント許否決定部３０は、受信部２８で受信した画像データが条件有無判定部２９により出力条件付データであると判定された場合に、顔存在判定部２６によりカメラ１３の撮影画角内に顔が存在すると判定されるまでプリント出力を不許可とし、顔が存在すると判定されたことを受けてプリント出力を許可する要素である。この出力条件付データについてプリント出力が許可されると、受信部２８で受信した画像データがプリント部３１に送られる。
【００３７】
また、このプリント許否決定部３０は、受信部２８で受信した画像データが条件有無判定部により合成条件付データであると判定された場合にも、顔存在判定部２６によりカメラ１３の撮影画角内に顔が存在すると判定されるまでプリント出力を不許可とし、顔が存在すると判定したことを受けてプリント出力を許可する。ただし、このときには、画像合成部２５で生成された合成画像データがプリント部３１に送られる。
【００３８】
すなわち、プリント部３１では、受信部２８で受信した画像データが条件有無判定部２９により出力条件付データであると判定された場合には、プリント許否決定部３０によるプリント出力の許可を待って、その出力条件付データに基づく画像がプリント出力される。また、プリント部３１では、受信部で受信した画像データが条件有無判定部２９により合成条件付データであると判定された場合には、プリント許否判定部３０によるプリント出力の許可を待って、合成条件付データと、その合成条件付データのプリント出力を許可する契機となった顔を含む撮影画像を表わす撮影画像データとが合成された合成画像データに基づく合成画像がプリント出力される。
【００３９】
ただし、受信部２８で受信した画像データが、出力条件付データでもなく、かつ合成条件付データでもないことが判定された場合には、その画像データは、カメラ１３の撮影画角内に顔が存在するか否かとは無関係に直ちにプリント部３１に送られ、プリント部３１において、その送られてきた画像データに基づく画像がプリント出力される。
【００４０】
ここで、プリント許否決定部３０は、受信部２８で受信した画像データに付属する付属データを判定材料の１つとしてプリント出力の許否を決定するものであってもよく、受信部２８で受信した画像データの送信元を判定材料の１つとしてプリント出力の許否を決定するものであってもよい。これらのバリエーションの具体例については後述する。
【００４１】
さらに、記憶部２７には、プリント許否決定部３０によりプリント出力が許可された出力条件付データについて、その出力条件付データを特定するデータと、その出力条件付データのプリント出力を許可する契機となった、顔を含む撮影画像を表わす撮影画像データとを対応づけて記憶する要素である。本実施形態における記憶部２７ではさらに、プリント許否決定部３０によりプリント出力が許可された合成条件付データについても同様に、その合成条件付データを特定するデータと、その合成条件付データのプリント出力を許可する契機となった、顔を含む撮影画像を表す撮影画像データとが互いに対応づけられて記憶される。
【００４２】
以下、この図２を参照しながら説明したプリンタ２０の動作について、具体例を挙げて説明する。
【００４３】
図３は、表示画面上に表示される初期画面を示した図である。
【００４４】
ここには、「コンテンツプリント」、「原稿読取り」、「コピー」等、この複合機１で実行されるサービスが列挙されている。
【００４５】
「コンテンツプリント」は、インタネット２経由で画像データを取り寄せ、その画像データに基づいて画像をプリント出力するサービスである。
【００４６】
「原稿読取り」は、複合機１Ａのスキャナを使って原稿を読み取って画像データを生成し、その画像データを、操作端末１Ｂのメモリカードスロット１４に差し込まれているメモリカードに記録するサービスである。
【００４７】
「コピー」は、複合機１Ａのスキャナを使って原稿を読み取って画像データを生成し、次いで、その複合機１Ａのプリンタとしての機能を使ってその画像データに基づく画像をプリント出力するサービスである。
【００４８】
この初期画面上で、「コンテンツプリント」、「原稿読取り」、「コピー」、・・・等のうちのいずれか１つを指でタッチすると、そのタッチしたサービスへと進む。本実施形態では「コンテンツプリント」に着目しており、ここでは「コンテンツプリント」がタッチにより選択されたものとする。
【００４９】
図４は、コンテンツプリントが選択されたときに表示画面上に表示される注意喚起画面を示した図である。
【００５０】
ここでは、「プリント内容によっては顔の撮影が必要です」との注意喚起文を表示することで、操作者に顔の撮影が必要になることがあることを認識させる。「ＯＫ」ボタンを押すと次の画面へと移り、「キャンセル」ボタンを押すと、１つ前の画面、すなわちここでは図３に示す初期画面に戻る。
【００５１】
なお、この図４に示す注意喚起画面だけでなく、どの段階の画面においても、「戻る」ボタンを押すと１つ前の画面に戻る。また、どの段階の画面においても、操作パネル１２（図１参照）上の「終了」ボタン（不図示）を押すか、操作がないままあらかじめ定められた時間が経過すると、それまでの操作がキャンセルされて、図３に示す初期画面に戻る。
【００５２】
図５は、接続先一覧画面に示した図である。
【００５３】
この図５に示す接続先一覧画面は、図４に示す注意喚起画面上で「ＯＫ」ボタンを押すと、表示画面１１上に、その注意喚起画面に代わり表示される画面である。
【００５４】
この図５には、接続先として、「市役所」、「○○チケット販売」、「○○旅行社」、「○○不動産」、「○○鉄道」、・・・等が並んでいる。
【００５５】
「次ページ」ボタンを押すごとに、順次、次のページに並ぶ接続先一覧が表示画面１１上にあらわれ、「前ページ」ボタンを押すごとに、順次、前のページに並ぶ接続先一覧が１１上にあらわれる。ここでは、接続先として「市役所」が選択されたものとする。
【００５６】
図６は、市役所からの取寄せ内容一覧画面を示した図である。
【００５７】
ここには、市役所のサーバから取り寄せてプリント出力することが可能なファイルの一覧が並んでいる。具体的には、この図６には、「住民票」、「印鑑証明書」、「市のイベント案内」、「市民観光案内」、・・・等が並んでいる。ここでは、「住民票」が選択されたものとする。この「住民票」は、この後説明するように、表示画面１１上に顔を写し出すことが必要な情報である。
【００５８】
図７は、住民票に関する認証画面を示した図である。
【００５９】
「住民票」が選択されると、図１に示す操作端末１Ｂは、市役所のサーバに向けて住民票の取寄せを要求している人が居る旨、問合せを発行する。すると、市役所のサーバから住民票向けの「ＩＤ」と「パスワード」からなる認証データの送信要求、および次に説明する図８の取寄せ内容の問合せが送信される。図１に示す操作端末１Ｂは、市役所のサーバから送信されてきた認証データの送信要求に応じて、図７に示す認証画面を表示する。
【００６０】
この画面上では、「ＩＤ」と「パスワード」が入力される。
【００６１】
ここでは、「ＩＤ」あるいは「パスワード」の入力欄を選択し、図１に示す操作パネル１２を操作して「ＩＤ」や「パスワード」を入力する。そして「ＯＫ」ボタンを押すと、認証処理が行なわれる。「キャンセル」ボタンは、一旦入力した「ＩＤ」あるいは「パスワード」をキャンセルするためのボタンである。ちなみに、「戻る」ボタンは、前述の通り、１つ前の画面に戻るためのボタンである。
【００６２】
図８は、取寄せ内容問合せ画面を示した図である。
【００６３】
図７に示す認証画面において「ＩＤ」と「パスワード」が入力されて「ＯＫ」ボタンが押されると、次に、この図８に示す取寄せ内容問合せ画面が表示画面１１上に表示される。
【００６４】
この取寄せ内容問合せ画面では「住民票謄本」と「住民票抄本」の別が選択され、さらに取寄せ枚数が指定される。４枚以上のときは、枚数の空欄をタッチし、操作パネル１２の操作により枚数が入力される。その後「ＯＫ」ボタンがタッチされる。ここで、「キャンセル」ボタンは、「住民票謄本」と「住民票抄本」の選択や枚数の選択を誤ったときにそれをキャンセルして再入力するときにタッチされるボタンである。
【００６５】
図８に示す画面上で「ＯＫ」ボタンが押されると、図７に示す認証画面上で入力した認証情報（ＩＤとパスワード）および図８に示す取寄せ内容問合せ画面上で入力された取寄せ内容が市役所のサーバに送信される。
【００６６】
市役所のサーバでは、送信されてきた認証情報に基づいて認証処理が行なわれ、正しく認証されたときは、市役所のサーバから、図８に示す取寄せ内容問合せ画面上に入力した内容に従うデータファイルが送信される。
【００６７】
なお、正しく認証されなかったときは、市役所のサーバから正しく認証されなかった旨の情報が送信され、操作端末１Ｂでは、その表示画面１１上に、図７に類似した、正しく選択されなかったことを告げて認証情報の再入力を促す画面が表示される。
【００６８】
ここでは、図８に示す取寄せ内容問合せ画面上で、「住民票抄本」および「１」枚が選択され、かつ、正しく認証されたものとする。このときには、市役所のサーバから操作端末１Ｂに向けて、その認証情報に合致した、操作者自身の住民票抄本のデータが送信される。
【００６９】
図９は、送信されてきた住民票抄本データファイルの概念図である。
【００７０】
この住民票抄本データファイルは、住民票抄本そのものを表わす画像データと、その画像データに付属する付属データが含まれている。
【００７１】
図１０は、図９に概念図を示す住民票抄本データファイルにおける付属データの内容を示した図である。
【００７２】
ここには、「ファイルＩＤ」、「ファイル種類」、「送信元」、「受信先」、「送信年月日」、「プリント枚数」、「顔撮影必要」、・・・等の情報が記録されている。
【００７３】
「ファイルＩＤ」は、今回の送信ファイルを特定する符号である。
【００７４】
「ファイル種類」は、このファイルが住民票抄本のファイルであることを示している。
【００７５】
「送信元」は、このファイルの送信元を示している。
【００７６】
「受信先」は、このファイルが図１に示す操作端末１Ｂ宛てに送信されたファイルであることを示している。
【００７７】
「送信年月日」は、このファイルの送信年月日を示している。
【００７８】
「顔撮影必要」は、この住民票抄本をプリント出力するにあたって、この住民票抄本を要求した人の顔の撮影が必要であることを表わしている。
【００７９】
図９に示す住民票抄本データファイルは、操作端末１Ｂの、図２に示す受信部２８で受信され、その住民票抄本データファイルの中の付属データが条件有無判定部２９で参照される。条件有無判定部２９では、この付属データに「顔撮影必要」との記載があることから、今回送信されてきた画像データが、前述の「出力条件付データ」であると判定され、その受信データの複合機１Ａ（プリント部３１）への送信は一旦留保される。そして、操作端末１Ｂの表示画面１１上に、カメラ１３の撮影画像を表示する撮影画面表示モードに移る。
【００８０】
図１１は、撮影画面表示モードにおける表示画面を示した図である。
【００８１】
ここには、「ここに顔を写してください」という、カメラ１３に顔をかざすことを促す言葉と、そのカメラ１３による撮影画像が表示されている。カメラ１３の撮影画像中に顔が存在するか否かは、図２に示す顔存在判定部２６により判定される。表示画面１１上に顔が写し出され、カメラ１３の撮影画像中に顔が存在すると判定されると、受信部２８で受信した住民票抄本データファイル（図９参照）が複合機１Ａ（プリント部３１）に送られる。複合機１Ａでは、その送られてきた住民票抄本データファイルに従って、その付属データに記載されたプリント枚数（ここでは１枚）と同枚数の住民票抄本がプリント出力される。
【００８２】
また、本実施形態では、「顔撮影必要」と記載されているファイルについては、そのファイルを特定する情報と今回の撮影画像とが対応づけられて記録される。
【００８３】
図１２は、記録内容の概念図である。
【００８４】
図１２（Ａ）は、プリント出力したファイルを特定する情報を記録したファイルを示している。
【００８５】
ここには、今回のプリント出力を特定する「ジョブＩＤ」と、プリント出力の「日付」情報と、そのプリント出力用のファイルの「送信元」（ここでは市役所）と、そのプリント出力用のファイルの「ファイルＩＤ」が記録されている。
【００８６】
図１２（Ｂ）は、撮影画像を記録したファイルを示している。
【００８７】
ここには撮影画像を特定する「写真ＩＤ」とその撮影画像自体のデータが記録されている。
【００８８】
図１２（Ｃ）は、図１２（Ａ）のファイルの「ジョブＩＤ」と図１２（Ｂ）のファイルの「写真ＩＤ」が対応づけられて記録されている。
【００８９】
図２に示す記憶部２７には、出力条件付データをプリント出力するたびに、図１２（Ａ）〜図１２（Ｃ）のファイルに各情報が記録される。
【００９０】
なお、図１２（Ｃ）では、「ジョブＩＤ」と「写真ＩＤ」が１対１で記録されているが、同一の操作者が連続して複数種類の出力条件付データのプリント出力を要求することができるシステムの場合、複数の「ジョブＩＤ」に１つの「写真ＩＤ」を対応づけることを許容してもよい。
【００９１】
図１３は、チケットデータファイルの概念図である。
【００９２】
このチケットデータファイルは、上述の住民票抄本データファイルと同様にして取寄せたデータファイルである。データファイルの取寄せのための操作手順自体は本実施形態の主要テーマではなく、ここでの詳細説明は割愛する。
【００９３】
このチケットデータファイルにも、チケット自体のデータに加え付属データが含まれている。
【００９４】
図１４は、図１３に概念を示すチケットデータファイル中の付属データの内容を示した図である。
【００９５】
図１０に示す住民票抄本データファイル中の付属データとの相違点は、図１０における「顔撮影必要」に代わり、「顔プリント必要」と記載されている点である。
【００９６】
この場合、図２に示す条件有無判定部２９では、付属データ中に「顔プリント必要」と記載されていることから、このチケットデータファイルが、前述の「合成条件付データ」であると判定される。この「合成条件付データ」であると判定された場合も、プリント部３１へのデータ送信は一旦保留され、上記の出力条件付データの場合と同様、カメラ１３による撮影画像中に顔が含まれていると判定されるのを待って、プリント部３１にデータが送信される。ただし、この場合、プリント部３１に送信されるデータは、受信部２８で受信したチケットデータファイルそのものではない。この合成条件付データの場合、図２に示す画像合成部２５において合成処理されたデータがプリント部３１に送信される。具体的には、受信部２８で受信したチケットデータとカメラ１３で撮影により得られた顔写真データが画像合成部２５に送られ、画像合成部２５では、それらのチケットデータと顔写真データが合成されて合成画像データが生成され、プリント部３１にはその合成画像データが送信される。そしてプリント部３１では、その合成画像データに基づく合成画像がプリント出力される。
【００９７】
図１５は、合成画像の一例を示した図である。
【００９８】
ここには、「○○遊園地入場券」なるチケットの画像と、その画像の下隅に、カメラ１３により撮影された顔写真がプリントされている。「合成条件付データ」の場合、この図１５に示すような顔写真付きの画像がプリント出力される。
【００９９】
また、本実施形態では、この「合成条件付データ」の場合も、上述の「出力条件付データ」の場合と同様に、図２に示す記憶部２７に、図１２と同様な、受信部２８で受信したプリント対象のデータを特定する情報と顔写真とが対応づけられて記憶される。
【０１００】
なお、ここで説明した実施形態の場合、記憶部２７を備え、図１２を参照して説明したようにして顔写真を対応づけるデータが記憶されるが、本発明では顔写真等を記憶することは必ずしも必要ではなく、出力条件付データや合成条件付データについて、表示画面１１上に顔を写し出させることだけでもよい。この場合であっても、操作者には心理的な力が作用し、不正操作の抑止に役立てることができる。
【０１０１】
次に、「出力条件付データ」、「合成条件付データ」、および「その他のデータ」の判別方法のバリエーションについて説明する。
【０１０２】
図１６は、プリント対象の、あるデータファイルの付属データを示した図である。
【０１０３】
ここには、「出力条件付データ」あるいは「合成条件付データ」であっても、「顔撮影必要」あるいは「顔プリント必要」といった、「出力条件付データ」であること、あるいは「合成条件付ファイル」であることの明示的な表現は見あたらない。ここでは、「ファイル種類」の情報に基づいて「出力条件付データ」、「合成条件付データ」、および「その他のデータ」が判別される。
【０１０４】
図１７は、操作端末内にあらかじめ記憶された「出力条件付データ」および「合成条件付データ」のファイル種類一覧を示した図である。
【０１０５】
図１７（Ａ）は、「出力条件付データ」のファイル種類の一覧であり、ここには、「住民票」、「印鑑証明書」、「切符」、・・・等が記録されている。
【０１０６】
また、図１７（Ｂ）は、「合成条件付データ」のファイル種類一覧を示した図である。ここには、「観劇チケット」、「映画チケット」、「遊園地入場チケット」、・・・等が記録されている。
【０１０７】
この図１７に示すようなファイル種類一覧をあらかじめ記録しておき、図２に示す条件有無判定部２９では、この一覧と付属データ中の「ファイル種類」を対比して、「出力条件付データ」、「合成条件付データ」、および「その他のデータ」のいずれであるかを判定してもよい。
【０１０８】
図１８は、操作端末内にあらかじめ記憶された別例のデータファイルを示した図である。
【０１０９】
この図１８には送信元一覧が示されている。図１８（Ａ）は、「出力条件付データ」の送信元一覧であり、図１８（Ｂ）は「合成条件付データ」の送信元一覧である。
【０１１０】
この図１８に示すような、送信元一覧をあらかじめ記憶しておき、図２に示す条件有無判定部２９では、この一覧と付属データ中の「送信元」を対比して、「出力条件付データ」、「合成条件付データ」、および「その他のデータ」のいずれであるかを、ファイル種類によらず、送信元ごとに一律に判定してもよい。
【０１１１】
図１９は、操作端末内にあらかじめ記憶された、さらに異なる例のデータファイルを示した図である。
【０１１２】
この図１９には、送信元のＵＲＬ一覧が示されている。図１９（Ａ）は「出力条件付データ」の送信元のＵＲＬ一覧であり、図１９（Ｂ）は「合成条件付データ」の送信元のＵＲＬ一覧である。
【０１１３】
この図１９に示すような送信元ＵＲＬ一覧をあらかじめ記憶におき、図２に示す条件有無判定部２９では、付属データを参照することなく、この一覧と送信元のＵＲＬとを対比して、「出力条件付データ」、「合成条件付データ」、および「その他のデータ」のいずれであるかを判定してもよい。
【０１１４】
ここでは、本発明を図１に示す複合機１に適用した例について説明したが、本発明の適用対象は、複合機である必要はなく、インタネット等を介して外部と通信することができるプリンタであればよい。また、上記の実施形態では、分かり易さのために、複合機１Ａと操作端末１Ｂとを別々に示しているが、それら双方が１つの筐体内に一体に組み込まれていてもよい。
【符号の説明】
【０１１５】
１，１Ａ    複合機
１Ｂ    操作端末
２    インタネット
３Ａ、・・・、３Ｂ    サーバ
１１    表示画面
１２    操作パネル
１３    カメラ
１４    カードスロット
２０    プリンタ
２１    操作部
２２    表示部
２３    送信部
２４    撮影部
２５    画像合成部
２６    顔存在判定部
２７    記憶部
２８    受信部
２９    条件有無判定部
３０    プリント許否決定部
３１    プリント部
【図１】
0006432735.tif 000002
【図２】
0006432735.tif 000003
【図３】
0006432735.tif 000004
【図４】
0006432735.tif 000005
【図５】
0006432735.tif 000006
【図６】
0006432735.tif 000007
【図７】
0006432735.tif 000008
【図８】
0006432735.tif 000009
【図９】
0006432735.tif 000010
【図１０】
0006432735.tif 000011
【図１１】
0006432735.tif 000012
【図１２】
0006432735.tif 000013
【図１３】
0006432735.tif 000014
【図１４】
0006432735.tif 000015
【図１５】
0006432735.tif 000016
【図１６】
0006432735.tif 000017
【図１７】
0006432735.tif 000018
【図１８】
0006432735.tif 000019
【図１９】
0006432735.tif 000020